(57)【要約】【課題】本発明は、モータによる回転を制御することで回転駆動機構によってディスプレイ部を回転させたときの揺れを抑制した薄型ディスプレイ装置を提供することを目的とする。【解決手段】スイーベル機構による駆動を開始する際、電源電圧供給回路１４からモータドライブ用ＩＣ１２に供給する電圧を変化させて、その電圧値を高くする。逆に、スイーベル機構による駆動を停止する際、電源電圧供給回路１４からモータドライブ用ＩＣ１２に供給する電圧を変化させて、その電圧値を低くする。これにより、スイーベル機構による駆動の開始及び停止時に、モータドライブＩＣ１２によるモータ１３の動作電圧を緩やかに切り換え、ディスプレイ部の揺れを抑えることができる。【選択図】図３
2008193348.tif 000002
【特許請求の範囲】
【請求項１】
画像を表示する画面を備えたディスプレイ部と、該ディスプレイ部を支持する台座部と、該台座部と前記ディスプレイ部とを接続する接続部と、前記接続部に設けられるとともに前記ディスプレイ部を水平方向に回転させるスイーベル機構と、前記スイーベル機構に回転力を与えるモータと、を備える薄型ディスプレイ装置において、
動作を指示するリモートコントローラから送信される前記スイーベル機構の駆動を指示する赤外線信号を受信する赤外線受信部と、
該赤外線受信部で受信した赤外線信号を制御信号に変換する信号変換部と、
該信号変換部からの前記制御信号を解析することで指示された内容を確認する主制御部と、
該主制御部から信号が与えられて前記モータを駆動するモータドライバと、
前記主制御部から信号が与えられて前記モータドライバから供給される前記モータの動作電圧を変化させる電圧切換信号を生成する動作電圧制御部と、
を備え、
前記主制御部が、前記赤外線受信部で受信した前記リモートコントローラからの前記赤外線信号に基づいて前記スイーベル機構の駆動を開始することを認識したとき、前記動作電圧制御部からの前記電圧切換信号によって前記モータドライバからの供給される前記動作電圧が徐々に高くなり、
一方、前記主制御部が、前記赤外線受信部で受信した前記リモートコントローラからの前記赤外線信号に基づいて前記スイーベル機構の駆動を停止することを認識したとき、前記動作電圧制御部からの前記電圧切換信号によって前記モータドライバからの供給される前記動作電圧が徐々に低くなることを特徴とする薄型ディスプレイ装置。
【請求項２】
画像を表示する画面を備えたディスプレイ部と、該ディスプレイ部を支持する台座部と、該台座部と前記ディスプレイ部とを接続する接続部と、前記接続部に設けられるとともに前記ディスプレイ部を水平方向に回転させるスイーベル機構と、前記スイーベル機構に回転力を与えるモータと、を備える薄型ディスプレイ装置において、
動作を指示するリモートコントローラから送信される前記スイーベル機構の駆動を指示する赤外線信号を受信する赤外線受信部と、
前記モータを駆動するモータドライバと、
前記モータドライバから供給される前記モータの動作電圧を変化させる電圧切換信号を生成する動作電圧制御部と、
を備え、
前記スイーベル機構の駆動を開始するとき、前記動作電圧制御部からの前記電圧切換信号によって前記モータドライバからの供給される前記動作電圧が徐々に高くなり、
一方、前記スイーベル機構の駆動を停止するとき、前記動作電圧制御部からの前記電圧切換信号によって前記モータドライバからの供給される前記動作電圧が徐々に低くなることを特徴とする薄型ディスプレイ装置。
【請求項３】
前記動作電圧制御部が前記モータドライバに供給されるバイアス電圧の値を変化させることによって、前記モータドライバからの前記動作電圧を変化させることを特徴とする請求項２に記載の薄型ディスプレイ装置。
【請求項４】
前記動作電圧制御部が積分回路によって構成されることを特徴とする請求項３に記載の薄型ディスプレイ装置。
【請求項５】
前記モータドライバが前記モータの動作電圧を変化させる制御端子を備え、前記動作電圧制御部から前記モータドライバの前記制御端子に与える信号の値を切り換えることによって、前記モータドライバからの前記動作電圧を切り換えることを特徴とする請求項２に記載の薄型ディスプレイ装置。
【請求項６】
前記動作電圧制御部がデジタルアナログ変換回路によって構成され、前記動作電圧を指示するデジタル信号が前記動作電圧制御部によってアナログ信号に変換されて前記モータドライバに供給されることを特徴とする請求項３又は請求項５に記載の薄型ディスプレイ装置。
【発明の詳細な説明】
【技術分野】
【０００１】
本発明は、液晶方式、プラズマ方式、リアプロジェクション方式などの各種方式によりディスプレイ部を薄型とした薄型ディスプレイ装置に関するもので、特に、ディスプレイ部を水平方向に回転駆動させる回転駆動機構（スイーベル機構）を備えた薄型ディスプレイ装置に関する。
【背景技術】
【０００２】
従来より、ディスプレイ装置において、映像が再生表示されるディスプレイ部を水平方向に回転駆動させるために、モータによる回転力を伝達してディスプレイ部を回転させる回転駆動機構（スイーベル機構）を備えるものがある。このような回転駆動機構として、ブラウン管によりディスプレイ部が構成されたディスプレイ装置に対して形成されたもの（特許文献１〜特許文献３参照）だけでなく、最近では、液晶方式、プラズマ方式、リアプロジェクション方式などの各種方式によりディスプレイ部を薄型とした薄型ディスプレイ装置に形成されたもの（特許文献４参照）も提案されている。
【０００３】
特許文献２の回転駆動機構によると、ディスプレイ部が回転駆動しているときに障害物に当たった場合に、回転動作の停止や適切な制御を行うことができるように、駆動モータの運転時の負荷電流の大小に応じて電磁クラッチを制御する構成としている。即ち、障害物に当たっているときに駆動モータの負荷電流が大きくなることにより、この負荷電流に基づいて障害物に当たっていることを検出し、電磁クラッチを切ることで、ディスプレイ部の回転を停止させる。
【０００４】
又、特許文献３の回転駆動機構によると、大型となるディスプレイ装置に対して、回転させるために必要なトルクを確保するために、トルクが小さい小型直流モータに高いギア比の動力伝達経路を用いていたものに代わり、低速回転・高トルクを容易に得ることのできるステッピングモータを備えるものとしている。このように、ステッピングモータを備えるものとすることで、動力伝達経路のギア比を小さくすることでき、その構造を簡単化することができるために、回転駆動機構の構造を単純化することができる。更に、特許文献４の回転駆動機構では、ステッピングモータを備えたものとし、薄型ディスプレイ装置のディスプレイ部を水平方向及びチルト方向それぞれについて回転させるスイーベル・チルト機構として構成されている。
【特許文献１】実開昭６３−１２４７７５号公報
【特許文献２】実開平０３−０４２１８６号公報
【特許文献３】特開平０４−０６１５７５号公報
【特許文献４】特開２００４−３０４６７９号公報
【発明の開示】
【発明が解決しようとする課題】
【０００５】
上述の回転駆動機構において、薄型ディスプレイ装置に対して設置される場合、水平方向に回転駆動させるスイーベル機構部分を駆動させるとき、回転駆動機構を備えて薄型テレビジョン装置が床側に設置される場合、ディスプレイ部の重心が高いことによって、回転動作の開始や停止によって装置全体に揺れが生じる。特に、このスイーベル機構によってディスプレイ部を水平方向に回転開始させた直後に停止させたとき、ディスプレイ部に生じる揺れが大きくなる。このような慣性などの影響による揺れについて、特許文献３では、回転軸の上部の周囲にできる隙間に板バネを装着するなどして機械的に防ぐ方法が使用されている。しかしながら、このような機械的な方法によって、ディスプレイ部に生じる揺れの防止を行うことには限界がある。
【０００６】
このような問題を鑑みて、本発明は、モータによる回転を制御することで回転駆動機構によってディスプレイ部を回転させたときの揺れを抑制した薄型ディスプレイ装置を提供することを目的とする。
【課題を解決するための手段】
【０００７】
上記目的を達成するために、本発明の薄型ディスプレイ装置は、画像を表示する画面を備えたディスプレイ部と、該ディスプレイ部を支持する台座部と、該台座部と前記ディスプレイ部とを接続する接続部と、前記接続部に設けられるとともに前記ディスプレイ部を水平方向に回転させるスイーベル機構と、前記スイーベル機構に回転力を与えるモータと、を備える薄型ディスプレイ装置において、動作を指示するリモートコントローラから送信される前記スイーベル機構の駆動を指示する赤外線信号を受信する赤外線受信部と、該赤外線受信部で受信した赤外線信号を制御信号に変換する信号変換部と、該信号変換部からの前記制御信号を解析することで指示された内容を確認する主制御部と、該主制御部から信号が与えられて前記モータを駆動するモータドライバと、前記主制御部から信号が与えられて前記モータドライバから供給される前記モータの動作電圧を変化させる電圧切換信号を生成する動作電圧制御部と、を備え、前記主制御部が、前記赤外線受信部で受信した前記リモートコントローラからの前記赤外線信号に基づいて前記スイーベル機構の駆動を開始することを認識したとき、前記動作電圧制御部からの前記電圧切換信号によって前記モータドライバからの供給される前記動作電圧が徐々に高くなり、一方、前記主制御部が、前記赤外線受信部で受信した前記リモートコントローラからの前記赤外線信号に基づいて前記スイーベル機構の駆動を停止することを認識したとき、前記動作電圧制御部からの前記電圧切換信号によって前記モータドライバからの供給される前記動作電圧が徐々に低くなることを特徴とする。
【０００８】
又、本発明の薄型ディスプレイ装置は、画像を表示する画面を備えたディスプレイ部と、該ディスプレイ部を支持する台座部と、該台座部と前記ディスプレイ部とを接続する接続部と、前記接続部に設けられるとともに前記ディスプレイ部を水平方向に回転させるスイーベル機構と、前記スイーベル機構に回転力を与えるモータと、を備える薄型ディスプレイ装置において、動作を指示するリモートコントローラから送信される前記スイーベル機構の駆動を指示する赤外線信号を受信する赤外線受信部と、前記モータを駆動するモータドライバと、前記モータドライバから供給される前記モータの動作電圧を変化させる電圧切換信号を生成する動作電圧制御部と、を備え、前記スイーベル機構の駆動を開始するとき、前記動作電圧制御部からの前記電圧切換信号によって前記モータドライバからの供給される前記動作電圧が徐々に高くなり、一方、前記スイーベル機構の駆動を停止するとき、前記動作電圧制御部からの前記電圧切換信号によって前記モータドライバからの供給される前記動作電圧が徐々に低くなることを特徴とする。
【０００９】
このような薄型ディスプレイ装置において、前記動作電圧制御部が前記モータドライバに供給されるバイアス電圧の値を変化させることによって、前記モータドライバからの前記動作電圧を変化させるものとしても構わない。このとき、前記動作電圧制御部が積分回路によって構成されるものとしても構わない。
【００１０】
又、前記モータドライバが前記モータの動作電圧を変化させる制御端子を備え、前記動作電圧制御部から前記モータドライバの前記制御端子に与える信号の値を切り換えることによって、前記モータドライバからの前記動作電圧を切り換えるものとしても構わない。
【００１１】
更に、前記動作電圧制御部がデジタルアナログ変換回路によって構成され、前記動作電圧を指示するデジタル信号が前記動作電圧制御部によってアナログ信号に変換されて前記モータドライバに供給されるものとしても構わない。
【発明の効果】
【００１２】
本発明によると、スイーベル機構の駆動開始時又は駆動停止時において、モータに与える動作電圧を徐々に変化させることができる。そのため、モータのトルクを徐々に変化させて、その回転速度の加速及び減速を緩やかに行うことができる。よって、スイーベル機構によってディスプレイ部を回転させたときに生じる反動を抑制し、その揺れを小さいものとすることができる。
【発明を実施するための最良の形態】
【００１３】
本発明の実施の形態について、薄型ディスプレイ装置の一つである薄型テレビジョン装置を例示して、図面を参照して説明する。図１は、本実施形態の薄型テレビジョン装置の外観構成を示す概略斜視図である。図３は、図１の薄型テレビジョン装置のスイーベル機構の構成を示すブロック図である。
【００１４】
本実施形態の薄型テレビジョン装置は、図１に示すように、映像を再生出力する画面となるディスプレイ部１と、ディスプレイ部１の画面反対側となる裏側における底辺側中央に接続される支持部２と、支持部２と接続されて水平方向に回転駆動する軸を備えた駆動部３と、この駆動部３が上部に設置される台座４と、を備える。即ち、台座４上部中央に位置するように、軸方向が水平方向に対して垂直となる駆動部３が設けられ、この駆動部３の台座４と逆側となる位置に支持部２が構成される。そして、支持部２がディスプレイ部１の裏側に接続されることで、設置面積の広い台座４により薄型テレビジョン装置が倒れないように支持することができる。
【００１５】
又、駆動部３内部には、不図示であるが、水平方向に回転する軸と、この軸を回転させるためのモータと、モータからの回転力を伝達させるためのギアなどの動力伝達機構とが設けられ、これらの構成により、スイーベル機構が構成される。即ち、この駆動部３内部に設けられたスイーベル機構が動作することによって、ディスプレイ部１を水平方向に回転させることができる。尚、駆動部３において、水平方向に対して略垂直な方向（チルト方向）にディスプレイ部１を傾けるチルト機構が備えられるものとしても構わない。
【００１６】
更に、このように構成される薄型テレビジョン装置は、赤外線信号を送信することで動作指示を行うリモートコントローラ（リモコン）５によって操作されるとともに、ディスプレイ部１の画面が設けられる表側において、リモコン５からの赤外線信号を受信する赤外線受信部６を備える。このリモコン５が操作されることで、リモコン５より送信される赤外線信号を薄型テレビジョン装置内部のマイクロコンピュータ（マイコン）が指示内容を認識する。そして、赤外線受信部６で受信した赤外線信号を解析した結果に基づいて、薄型テレビジョン装置内部のチューナ回路（不図示）による選局動作や、スピーカ７による音量切換や、駆動部３のディスプレイ部１に対する回転駆動動作などが制御される。
【００１７】
又、リモコン５は、図２に示すように、受信するチャンネルを選択するためのチャンネルボタン５１と、ディスプレイ部１を水平方向やチルト方向に駆動させる駆動指示用ボタン５２と、押下されたボタンに応じた赤外線信号を送信する赤外線送信部５３とを備える。そして、駆動指示用ボタン５２の一つが押し続けられることによって、押下されているボタンに応じた方向にディスプレイ部１が駆動するように、駆動部３が動作する。
【００１８】
このように構成される薄型テレビジョン装置のスイーベル機構について、図３のブロック図を参照して以下に説明する。
【００１９】
図３に示すスイーベル機構は、リモコン５からの赤外線信号を受信する赤外線受信部６からの信号を復調して信号変換する信号変換部１０と、信号変換部１０からの制御信号を解析するマイクロコンピュータ部（マイコン部）１１と、マイコン部１１によって制御されるモータドライブ用ＩＣ１２と、モータドライブ用ＩＣ１２によって駆動されるモータ１３と、モータドライブ用ＩＣ１２に電源電圧を供給する電源電圧供給回路１４と、を備える。
【００２０】
そして、マイコン部１１からモータドライブ用ＩＣ１２に対して、モータ１３を正転させる正転制御信号と、モータ１３を反転させる反転制御信号とが送出される。この正転制御信号及び反転制御信号が与えられるモータドライブ用ＩＣ１２によりモータ１３が動作することで、駆動部３のスイーベル機構が動作してディスプレイ部１を水平方向に回転させる。又、モータドライブ用ＩＣ１２は、モータ１３のモータコイルに接続されるインバータ回路（不図示）を備え、正転制御信号及び反転制御信号がインバータ回路（不図示）を構成するトランジスタスイッチの制御端子に入力されることで、モータ１３の正転及び反転が設定される。
【００２１】
又、モータドライブ用ＩＣ１２には、インバータ回路（不図示）を接地するグランド端子（図３の符号ＧＮＤ）と電源電圧が供給される電圧供給端子（図３の符号＋Ｂ）とが備えられる。そして、グランド端子が接地されるとともに、電源電圧供給回路１４から出力される電圧が電圧供給端子に供給されることで、インバータ回路（不図示）がバイアスされることとなる。更に、電源電圧供給回路１４からの出力電圧の値がマイコン部１１からの制御信号によって切り換えられて、モータドライブ用ＩＣ１２の電圧供給端子に与えられる。モータドライブ用ＩＣ１２の電圧供給端子に与えられる電圧値によって、モータ１３によるトルクが変動する。即ち、電源電圧供給回路１４からの出力電圧が高いと、モータ１３によるトルクが大きくなる。
【００２２】
電源電圧供給回路１４の構成例について、図４の回路図を参照して説明する。図４に示すように、電源電圧供給回路１４は、マイコン部１１からの制御信号を直流電圧ＶＤＤと接地電圧とによる二値の電圧信号に変換するバッファＢと、バッファＢの出力に一端が接続される抵抗Ｒ１と、抵抗Ｒ１の他端に一端が接続されるとともに他端が接地されたコンデンサＣ１とによって、構成される。そして、積分回路となる抵抗Ｒ１とコンデンサＣ１との接続ノードがモータドライブ用ＩＣ１２の電圧供給端子に接続される。
【００２３】
このように構成することで、マイコン部１１からの制御信号がハイとなるとき、バッファＢから直流電圧ＶＤＤが出力されて、抵抗Ｒ１に印加される。これにより、積分回路において、コンデンサＣ１への蓄電動作が行われることにより、抵抗Ｒ１とコンデンサＣ１との接続ノードに現れる電圧が徐々に高くなり、直流電圧ＶＤＤに近づく。逆に、マイコン部１１からの制御信号がローとなるとき、バッファＢから接地電圧が出力されて、抵抗Ｒ１に印加される。これにより、積分回路において、コンデンサＣ１からの放電動作が行われることにより、抵抗Ｒ１とコンデンサＣ１との接続ノードに現れる電圧が徐々に低くなり、接地電圧に近づく。
【００２４】
この電源電圧供給回路１４を備えたスイーベル機構による動作について、図５のタイミングチャートを参照して説明する。リモコン５が操作されると、操作に応じた赤外線信号が赤外線受信部６で受信される。そして、赤外線受信部６で受信した赤外線信号が電気信号に変換されて信号変換部１０に与えられる。信号変換部１０では、赤外線受信部６からの電気信号を復調して信号変換すると、信号変換された信号がマイコン部１１に与えられることにより、リモコン５からの赤外線信号が解析される。
【００２５】
よって、図５に示すように、リモコン５の駆動指示用ボタン５２が押下されて、赤外線送信部５３からモータ１３の正転又は反転を指示する赤外線信号が発信されると、マイコン部１１によって、リモコン５からの赤外線信号を解析することで、モータ１３の正転又は反転が指示されたことを認識する。そして、モータ１３を駆動するための正転制御信号又は反転制御信号が、マイコン部１１からモータドライブ用ＩＣ１２に出力される。このようにして、リモコン５からの赤外線信号が与えられて、マイコン部１１が正転制御信号又は反転制御信号の出力を開始すると同時に、マイコン部１１から電源電圧供給回路１４に与えられる制御信号がハイとなる。
【００２６】
これにより、電源電圧供給回路１４では、ハイとなる制御信号がマイコン部１１より与えられて、バッファＢより直流電圧ＶＤＤが出力されるため、抵抗Ｒ１とコンデンサＣ１との接続ノードからモータドライブ用ＩＣ１２の電圧供給端子に与えられる電圧が徐々に高くなる。よって、モータドライブ用ＩＣ１２によるモータ１３の動作電圧が徐々に高くなり、モータ１３が正転又は反転を行い、ディスプレイ部１を水平方向に左又は右に回転させる。このとき、モータ１３の動作電圧が徐々に高くなるため、モータ１３のトルクが徐々に高くなり、モータ１３の回転速度が加速する。
【００２７】
その後、コンデンサＣ１と抵抗Ｒ１の時定数によって決まる時間が経過するまでハイとなる制御信号が与えられると、抵抗Ｒ１とコンデンサＣ１との接続ノードからモータドライブ用ＩＣ１２の電圧供給端子に与えられる電圧が一定となる。よって、モータドライブ用ＩＣ１２によるモータ１３の動作電圧が最大となり、モータ１３も、そのトルクが最大となる状態で、正転又は反転することとなる。
【００２８】
そして、ユーザがリモコン５の駆動指示用ボタン５２の押下をやめることで、赤外線送信部５３からの正転又は反転を指示する赤外線信号の送信が停止されると、赤外線受信部６での赤外線信号の受信がなくなるため、マイコン部１１では、信号変換部１０からの信号入力が検出されなくなる。よって、マイコン部１１において、モータ１３の回転を停止することが確認される。
【００２９】
これにより、マイコン部１１から電源電圧供給回路１４に与えられる制御信号がローに切り換えられるため、バッファＢより接地電圧が出力される。そのため、抵抗Ｒ１とコンデンサＣ１との接続ノードからモータドライブ用ＩＣ１２の電圧供給端子に与えられる電圧が徐々に低くなる。よって、モータドライブ用ＩＣ１２によるモータ１３の動作電圧が徐々に低くなり、モータ１３が正転及び反転した状態で、そのトルクが徐々に低くなるため、モータ１３の回転速度が徐々に減速する。
【００３０】
その後、コンデンサＣ１と抵抗Ｒ１の時定数によって決まる時間が経過すると、抵抗Ｒ１とコンデンサＣ１との接続ノードからモータドライブ用ＩＣ１２の電圧供給端子に与えられる電圧が接地電圧となるため、モータドライブ用ＩＣ１２のバイアスが０となり、モータ１３及びディスプレイ部１１の回転が最終的に停止する。このようにモータ１３の回転の停止が確認されると、マイコン部１１からの正転制御信号及び反転制御信号の出力も停止される。
【００３１】
尚、マイコン部１１からの正転制御信号及び反転制御信号の出力の停止については、モータ１３の回転停止を確認してから、コンデンサＣ１と抵抗Ｒ１の時定数によって決まる時間よりも長い時間を経過したことをマイコン１１が確認したときに、出力停止が成されるものとしても構わない。又、電源電圧供給回路１４からモータドライブ用ＩＣ１２の電圧供給端子に与えられる電圧が接地電圧となったことをマイコン部１１が確認することで、マイコン部１１からの正転制御信号及び反転制御信号の出力を停止するものとしても構わない。
【００３２】
このように、本実施形態によると、ディスプレイ部１の回転動作を開始する際、モータドライブ用ＩＣ１２に与えるバイアス電圧を徐々に高くすることで、モータドライブ用ＩＣ１２によるモータ１３の動作電圧が変化し、モータ１３のトルクを徐々に大きくして、その回転速度を加速することができる。又、ディスプレイ部１の回転動作を停止する際、モータドライブ用ＩＣ１２に与えるバイアス電圧を徐々に低くすることで、モータドライブ用ＩＣ１２によるモータ１３の動作電圧が変化し、モータ１３のトルクを徐々に小さくして、その回転速度を減速することができる。これにより、ディスプレイ部１の回転の開始又は停止を行ったときに生じる反動を抑制することができるだけでなく、回転を開始した直後に停止させたときにはモータ１３のトルクが弱いためにその揺れを抑制することができる。
【００３３】
尚、本実施形態において、モータドライブ用ＩＣ１２に電圧供給端子に供給される電圧値を変化させることで、モータ１３の動作電圧及びトルクや回転速度を徐々に変化させるものとしたが、図６のように、モータドライブ用ＩＣ１２からモータ１３のトルクを変更するための動作電圧を切り換えるための制御端子（図中のＣＮＴ）を備える場合、この制御端子への制御信号の値をマイコン部１１で切り換えて出力するものとしても構わない。
【００３４】
このとき、モータドライブ用ＩＣ１２の制御端子に入力される信号が電圧値又は電流値によるアナログ信号であるため、マイコン部１１から出力されるデジタル信号をアナログ信号に変換するデジタルアナログ変換回路（ＤＡＣ回路）１５が設けられる。このＤＡＣ回路１５は、マイコン部１１からのパラレル信号となるデジタル信号をアナログ信号に切り換えるものであっても構わないし、マイコン部１１からのシリアル信号となるデジタル信号をアナログ信号に切り換えるものであっても構わない。
【００３５】
このように構成するとき、マイコン部１１では、所定時間毎にＤＡＣ回路１５に与えるデジタル信号の階調を１階調毎に変化させることによって、ＤＡＣ回路１５で変換されたアナログ信号の値を線形的に変化させる。これにより、モータ１３のトルクを変更するための動作電圧を徐々に変化させることができる。
【００３６】
又、上述において、モータドライブ用ＩＣ１２に電圧供給端子に供給される電圧値を変化させるものについては、図３及び図４で示す構成を例示し、又、モータドライブ用ＩＣ１２の制御端子に入力される信号を変化させるものについては、図６で示す構成を例示した。しかしながら、モータ１３の回転の開始又は停止において、図５に示すように、モータドライブ用ＩＣ１２のモータ１３に対する動作電圧が徐々に変化するように制御するものであれば、異なる構成のものとしても構わない。
【００３７】
更に、リモコン５の駆動指示用ボタン５２について、押下されている間に駆動部３の駆動を指示する赤外線信号が送信されるものとしたが、１回目の押下で赤外線信号の送信が開始し、２回目の押下で赤外線信号の送信が停止するものとしても構わない。又、駆動指示用ボタン５２の操作によって、駆動部３の駆動及び停止が指示される際、駆動部３の駆動開始を指示する赤外線信号と、駆動部３の駆動停止を指示する赤外線信号とが送信されるものとしても構わない。又、リモコン５によって駆動されるものとしたが、薄型ディスプレイ装置本体に操作部を設け、この操作部が操作されることによって、チャンネル選局動作や駆動部３によるディスプレイ部１の駆動動作が指示されるものとしても構わない。
【産業上の利用可能性】
【００３８】
本発明は、実施形態で説明した薄型テレビジョン装置に限らず、コンピュータなどの画像を再生する表示装置を含む薄型ディスプレイ装置にも適用することができる。又、薄型ディスプレイ装置として、液晶方式、プラズマ方式、リアプロジェクション方式、薄型ブラウン管方式、有機ＥＬ（Electro Luminescence）方式、ＳＥ（Surface-conduction Electron-emitter）方式などの各種方式による薄型ディスプレイ装置に適用可能である。
【図面の簡単な説明】
【００３９】
【図１】は、本発明の実施形態の薄型テレビジョン装置の外観構成を示す概略斜視図である。
【図２】は、図１の薄型テレビジョン装置におけるリモコンの構成を示す概略図である。
【図３】は、図１の薄型テレビジョン装置のスイーベル機構の構成を示すブロック図である。
【図４】は、図３のスイーベル機構における電源電圧供給回路の構成を示すブロック図である。
【図５】は、リモコンからの制御信号の変遷と図４の電源電圧供給回路から出力される電圧値の変遷との関係を示すタイミングチャートである。
【図６】は、図１の薄型テレビジョン装置のスイーベル機構の別の構成を示すブロック図である。
【符号の説明】
【００４０】
１    ディスプレイ部
２    支持部
３    駆動部
４    台座
５    リモコン
６    赤外線受信部
１０    信号変換部
１１    マイコン部
１２    モータドライブ用ＩＣ
１３    モータ
１４    電源電圧供給回路
１５    ＤＡＣ回路
【図１】
2008193348.tif 000003
【図２】
2008193348.tif 000004
【図３】
2008193348.tif 000005
【図４】
2008193348.tif 000006
【図５】
2008193348.tif 000007
【図６】
2008193348.tif 000008